(57)【要約】【課題】  写真フイルム及びプリント写真を一括保管し易くする。【解決手段】  写真フイルムの現像及びプリントが依頼されると、現像所では、写真フイルムの現像を行った後、撮影画像のプリントを行う。その後、現像済みの写真フイルムを５コマ分の長さ毎に切断してフイルム収納シートに収納する。また、プリント写真をプリント収納シートに収納する。その後、フイルム収納シート、プリント収納シート、及びプリント注文シートがユーザに返却される。ユーザは、これらをバインダ等に綴じることにより、整理された状態で一括保管することができる。また、焼き増し注文する場合、ユーザは、プリント注文シートに注文内容を記載して、これらを現像所に持ち込めば良い。【選択図】        図５
2006039305.tif 000002
【特許請求の範囲】
【請求項１】
現像済みの写真フイルム及びプリント写真を後処理するプリント後処理方法において、
複数の綴じ穴が形成され、所定長に切断された写真フイルムを収納可能なフイルム収納シートに前記現像済みの写真フイルムを収納し、前記フイルム収納シートと略同じ外形を有し、前記複数の綴じ穴と同じ個数及び配置間隔で複数の綴じ穴が形成され、プリント写真を収納可能な略透明のプリント収納シートに前記プリント写真を収納することを特徴とするプリント後処理方法。
【請求項２】
前記フイルム収納シート及び前記プリント収納シートと略同じ外形を有し、前記複数の綴じ穴と同じ個数及び配置間隔で綴じ穴が形成され、焼き増し注文の注文内容を記入可能なプリント注文シートを前記フイルム収納シート及び前記プリント収納シートと共にユーザに返却することを特徴とする請求項１記載のプリント後処理方法。
【請求項３】
前記プリント収納シートに収納されるプリント写真は、Ｌサイズプリントの略半分の大きさであるハーフＬサイズプリントであり、前記プリント収納シートは略Ａ４サイズであって、前記ハーフＬサイズプリント用の収納部を２列４行の配列で有することを特徴とする請求項１または請求項２記載のプリント後処理方法。
【請求項４】
前記プリント収納シートに収納されるプリント写真は、Ｌサイズプリントの略半分の大きさであるハーフＬサイズプリントであり、前記プリント収納シートは略Ａ５サイズであって、前記ハーフＬサイズプリント用の収納部を２列２行の配列で有することを特徴とする請求項１または請求項２記載のプリント後処理方法。
【請求項５】
前記プリント収納シートに収納されるプリント写真は、Ｌサイズプリントの略半分の大きさであるハーフＬサイズプリントであり、前記プリント収納シートは略ミニ６穴サイズであって、前記ハーフＬサイズプリント用の収納部を１列２行の配列で有することを特徴とする請求項１または請求項２のプリント後処理方法。
【請求項６】
前記各シートは、２穴バインダ、４穴バインダ、６穴バインダのうち少なくとも１つに対応するように前記複数の綴じ穴が形成されていることを特徴とする請求項１ないし請求項５のいずれか記載のプリント後処理方法。
【請求項７】
前記プリント写真は、各プリント写真に関する情報が記録面に記録されていることを特徴とする請求項１ないし請求項６記載のいずれか記載のプリント後処理方法。
【請求項８】
前記情報は、前記プリント写真のコマ番号を示す情報であることを特徴とする請求項７記載のプリント後処理方法。
【請求項９】
現像済みの写真フイルム及びプリント写真をユーザに返却するためのプリント後処理用収納シートにおいて、
複数の綴じ穴が形成され、所定長に切断された写真フイルムを収納可能なフイルム収納シートと、
前記フイルム収納シートと略同じ外形を有し、前記複数の綴じ穴と同じ個数及び配置間隔で複数の綴じ穴が形成され、プリント写真を収納可能な略透明のプリント収納シートとを有することを特徴とするプリント後処理用収納シート。
【請求項１０】
前記フイルム収納シート及び前記プリント収納シートと略同じ外形を有し、前記複数の綴じ穴と同じ個数及び配置間隔で綴じ穴が形成され、焼き増し注文の注文内容を記入可能なプリント注文シートを有することを特徴とする請求項９記載のプリント後処理用収納シート。
【発明の詳細な説明】
【技術分野】
【０００１】
本発明は、プリント処理が終わった後、現像済みの写真フイルム及びプリント写真を注文毎に後処理するプリント後処理方法及びプリント後処理用収納シートに関する。
【背景技術】
【０００２】
ユーザが、撮影済みの写真フイルムを写真店、ＤＰ受付店、または現像所等に持ち込んで、現像及びプリントを依頼すると、ネガシートに入った現像済みの写真フイルムと、撮影画像がプリントされた複数のプリント写真とが紙製の収納袋であるＤＰ袋に入れてユーザに返却されていた。このため、ユーザは、返却されたプリント写真を整理する必要があり、ユーザにとって手間のかかる作業であった。また、ユーザは、現像済みの写真フイルムとプリント写真とをセットで保管していない場合が多く、焼き増しを依頼する時に焼き増ししたい写真フイルムを探すのに時間と手間がかかるという問題があった。
【０００３】
このような問題を解決するために、３５ｍｍの写真フイルムとインデックスプリントとを一括保管でき、ファイリングも可能な収納袋が知られている（例えば、特許文献１参照）。この収納袋では、写真フイルムとインデックスプリントとを同時に収納可能であり、この収納袋を現像所に持ち込むことにより焼き増し注文を容易に行うことができる。
【０００４】
【特許文献１】特開平１１−２９２０８６号公報
【発明の開示】
【発明が解決しようとする課題】
【０００５】
しかしながら、上記特許文献１記載の収納袋は、写真フイルムとインデックスプリントのみ収納可能であり、プリント写真を収納することができないため、プリント写真を別の収納袋に収納させる必要があり、プリント写真及び写真フイルムを一括保管することが難しい。また、インデックスプリントがない場合には、焼き増しを依頼する際に、プリント写真に対応する写真フイルムを探すのに時間と手間がかかるという問題がある。
【０００６】
本発明は上記事情に鑑みてなされたものであり、プリント処理後、ユーザが写真フイルム及びプリント写真を一括保管しやすいように後処理するプリント後処理方法及びプリント後処理用収納シートを提供することを目的とする。
【課題を解決するための手段】
【０００７】
上記課題を解決するために、本発明のプリント後処理方法は、現像済みの写真フイルム及びプリント写真を後処理するプリント後処理方法において、複数の綴じ穴が形成され、所定長に切断された写真フイルムを収納可能なフイルム収納シートに前記現像済みの写真フイルムを収納し、前記フイルム収納シートと略同じ外形を有し、前記複数の綴じ穴と同じ個数及び配置間隔で複数の綴じ穴が形成され、プリント写真を収納可能な略透明のプリント収納シートに前記プリント写真を収納することを特徴とするものである。
【０００８】
また、前記フイルム収納シート及び前記プリント収納シートと略同じ外形を有し、前記複数の綴じ穴と同じ個数及び配置間隔で綴じ穴が形成され、焼き増し注文の注文内容を記入可能なプリント注文シートを前記フイルム収納シート及び前記プリント収納シートと共にユーザに返却することが好ましい。
【０００９】
さらに、前記プリント収納シートに収納されるプリント写真は、Ｌサイズプリントの略半分の大きさであるハーフＬサイズプリントであり、前記プリント収納シートは略Ａ４サイズであって、前記ハーフＬサイズプリント用の収納部を２列４行の配列で有することが好ましい。
【００１０】
また、前記プリント収納シートに収納されるプリント写真は、Ｌサイズプリントの略半分の大きさであるハーフＬサイズプリントであり、前記プリント収納シートは略Ａ５サイズであって、前記ハーフＬサイズプリント用の収納部を２列２行の配列で有することが好ましい。
【００１１】
さらに、前記プリント収納シートに収納されるプリント写真は、Ｌサイズプリントの略半分の大きさであるハーフＬサイズプリントであり、前記プリント収納シートは略ミニ６穴サイズであって、前記ハーフＬサイズプリント用の収納部を１列２行の配列で有することが好ましい。
【００１２】
また、前記各シートは、２穴バインダ、４穴バインダ、６穴バインダのうち少なくとも１つに対応するように前記複数の綴じ穴が形成されていることが好ましい。さらに、前記プリント写真は、各プリント写真に関する情報が記録面に記録されていることが好ましく、前記情報は、前記プリント写真のコマ番号を示す情報であることが好ましい。
【００１３】
上記課題を解決するために、本発明のプリント後処理用シートは、現像済みの写真フイルム及びプリント写真をユーザに返却するためのプリント後処理用収納シートにおいて、複数の綴じ穴が形成され、所定長に切断された写真フイルムを収納可能なフイルム収納シートと、前記フイルム収納シートと略同じ外形を有し、前記複数の綴じ穴と同じ個数及び配置間隔で複数の綴じ穴が形成され、プリント写真を収納可能な略透明のプリント収納シートとを有することを特徴とするものである。
【００１４】
また、前記フイルム収納シート及び前記プリント収納シートと略同じ外形を有し、前記複数の綴じ穴と同じ個数及び配置間隔で綴じ穴が形成され、焼き増し注文の注文内容を記入可能なプリント注文シートを有することが好ましい。
【発明の効果】
【００１５】
本発明のプリント後処理方法及びプリント後処理用収納シートによれば、プリント写真をプリント収納シートに収納し、現像済みの写真フイルムをフイルム収納シートに収納することにより、プリント写真と写真フイルムとを一括保管することが容易である。また、プリント写真と写真フイルムとを一括保管することができるので、焼き増し注文する際に、プリント写真に対応する写真フイルムを探す手間を省略することができる。
【００１６】
また、プリント写真及び写真フイルムをユーザに返却する際に、プリント注文シートと共に返却するので、これらを纏めてバインダ等に綴じて保管できる。このため、焼き増し注文する際に、プリント注文シートに注文内容を記載して、そのまま現像所に持ち込むことにより、焼き増し注文を容易に行える。また、このプリント注文シートをインデックスシートとして利用することにより、プリント写真及び写真フイルムを整理して保管することができる。
【発明を実施するための最良の形態】
【００１７】
ユーザによって撮影済みの写真フイルムが持ち込まれた後、撮影済みの写真フイルムの現像及びプリントを行って、現像済みの写真フイルムをフイルム収納シートに収納し、プリント写真をプリント収納シートに収納して、これらをプリント注文シートと共にユーザに返却するプリント後処理方法について説明する。
【００１８】
最初に、プリント収納シートについて説明する。図１は、プリント写真を収納するプリント収納シート１０の平面図である。プリント収納シート１０は、中央部１２の左右に形成された開口１３ａ，１３ｂと、この開口１３ａ，１３ｂの左右に配置され、収納物の外形、すなわち写真プリントの外形に合わせて形成された収納部１４ａ，１４ｂと、綴じ穴として左側端部に形成された４つの穴１５とを備えている。
【００１９】
プリント収納シート１０は、全体としてＡ４サイズ（２１０ｍｍ×２９０ｍｍ程度）に形成されており、収納部１４ａ，１４ｂが２列４行で配置されており、合計８個の収納部が形成されている。これらの収納部１４ａ，１４ｂは、ハーフＬサイズのプリント写真（８９ｍｍ×６３ｍｍ）１７を収納するのに最適なサイズ、つまり、９２ｍｍ×６８ｍｍ程度で形成されている。
【００２０】
図２は、プリント収納シート１０の構成を示す斜視図である。プリント収納シート１０は、３枚の透明なシート２１〜２３で構成されている。シート２１は、Ａ４サイズ（２１０ｍｍ×２９０ｍｍ程度）であり、シート２２，２３は、シート２１と略同じ大きさのシートを縦方向に２分割したものである。
【００２１】
シート２２は、左端辺２２ａがシート２１の左端辺２１ａと一致し、さらに、右端辺２２ｂがシート２１の図中２点鎖線で示す線２１ｂと一致するように、シート２１上に重ね合わされる。また、シート２３は、左端辺２３ａがシート２１の図中２点鎖線で示す線２１ｃと一致し、さらに右端辺２３ｂがシート２１の右端辺２１ｄと一致するように、シート２１上に重ね合わされる。このため、シート２２の右端辺２２ｂとシート２３の右端辺２３ａとが中央部１２にて隣接するように配置される。なお、シート２２の右端辺２２ｂとシート２３の右端辺２３ａとの間隔は、２〜３ｍｍ程度が好ましいが、３ｍｍ以上でも良い。
【００２２】
その後、シート２１とシート２２，２３とが、図中点線で示す固着位置２４で固着され、前述の収納部１４ａ，１４ｂが形成される。その後、図１に示すように、左側端部に４つの綴じ穴１５が形成される。なお、シート２１とシート２２，２３との固着は、固着位置２４において、ミシン目状に固着しても良いし、直線状に固着しても良い。この固着は、熱溶着方法等の方法により行われる。例えば、熱溶着方法の場合には、ヒータにより熱せられた金属コテをシートの上面側から押し当てて圧力を加えることにより熱溶着が行われる。
【００２３】
これらのシート２１〜２３としては、例えば、透明度が高く、腰が強いポリプロピレン製の厚さが０．２ｍｍ程度のシートが用いられる。このように透明度の高い材質のシートを用いることにより、収納部１４ａ，１４ｂに収納したプリント写真を見やすくすることができる。なお、シート２１〜２３は、プリント写真が観察可能な程度の半透明であっても良く、例えば薄く着色されたものでも良い。また、不透明なシートを用いる場合には、各プリント写真が観察可能な窓を各収納部１４ａ，１４ｂに形成しても良い。また、３枚のシート２１〜２３を貼り合わせる代わりに、１枚のシートの両端を折り畳んで固着位置２４で固着することにより、プリント収納シート１０を構成しても良い。
【００２４】
また、４つの穴１５は、隣り合う穴との間隔が距離ＬＡにされており、長手方向の中心に対して対称な位置に配置されている。距離ＬＡは、例えば８０ｍｍにされており、Ａ４サイズの４穴バインダ及び２穴バインダの両方に収納可能である。
【００２５】
次に、フイルム収納シートについて説明する。図３は、フイルム収納シート３０の平面図である。このフイルム収納シート３０は、前述のプリント収納シート１０と同じ大きさであり、Ａ４サイズ（２１０ｍｍ×２９０ｍｍ程度）にされている。また、フイルム収納シート３０は、プリント収納シート１０と同様に、Ａ４サイズのシートと、このＡ４サイズのシートを縦に２分割した２枚のシートとを重ね合わせた構成であり、２分割されたシートの端部３１ａと３１ｂとが隣接するようにＡ４サイズのシート上に重ね合わされる。
【００２６】
さらに、端部３１ａ，３１ｂの左右には、図中点線で示す固着位置３２において上下のシートが固着されて収納部３３ａ，３３ｂが形成されている。また、フイルム収納シート３０の左側端部には、プリント収納シート１０と同様に、綴じ穴として４つの穴３５が形成されている。この４つの穴３５は、プリント収納シート１０の４つの穴１５と同じ位置に配置されており、このフイルム収納シート３０は、Ａ４サイズの４穴バインダ及び２穴バインダの両方に収納可能である。
【００２７】
収納部３３ａ，３３ｂは１列７行で配置されており、７枚の現像済みの写真フイルムが収納される。この収納部３３ａ，３３ｂには、端部３１ａ，３１ｂを捲って、写真フイルム３７の左端部を収納部３３ａに挿入し、右端部を収納部３３ｂに挿入することにより写真フイルム３７が収納される。写真フイルム３７は、５コマ分の撮影画像が記録された３５ｍｍのネガフイルムであり、収納部３３ａ，３３ｂは、この写真フイルム３７を収納するのに最適なサイズ、つまり、全体として縦３９ｍｍ×横１９４ｍｍ程度にされている。なお、このフイルム収納シート３０は、プリント収納シート１０と同様の材質で形成されている。また、このフイルム収納シート３０も、３枚のシートを固着して貼り合わせる代わりに、１枚のシートの両端を折り畳んで固着することにより構成しても良い。
【００２８】
次に、プリント注文シートについて説明する。図４は、プリント注文シート４０の平面図である。プリント注文シート４０は、インデックスシートであり、鉛筆やボールペンで文字を記入できるように紙で形成されている。また、このプリント注文シート４０は、プリント収納シート１０及びフイルム収納シート３０と同様に、略Ａ４サイズにされている。また、このプリント注文シート４０の上部には、客の名前を記入する記入欄４１と、受付年月日を記入する記入欄４２とが設けられている。
【００２９】
また、記入欄４１，４２の下方には、焼き増しプリントを依頼する際に、注文内容を記入する記入欄４３が設けられている。この記入欄４３には、「コマ番号」、「枚数」、「プリントサイズ」、「面種」、「指示」、「受付担当」等の情報が記入される。また、このプリント注文シート４０の左側端部には、プリント収納シート１０及びフイルム収納シート３０と同様に、綴じ穴として４つの穴４５が形成されている。この４つの穴４５は、プリント収納シート１０及びフイルム収納シート３０の４つの穴１５，３５と同じ位置に配置されており、プリント注文シート４０は、Ａ４サイズの４穴バインダ及び２穴バインダの両方に収納可能である。また、このプリント注文シート４０の右側端部には、インデックス部４７が形成されており、このインデックス部４７には、見出し等が記入される。
【００３０】
なお、上記説明において、プリント収納シート１０、フイルム収納シート３０及びプリント注文シート４０を別体で構成するようにしたが、プリント後処理用収納シートとして、プリント収納シート１０及びフイルム収納シート３０を一体に構成しても良いし、プリント後処理用収納シートとして、プリント収納シート１０、フイルム収納シート３０、及びプリント注文シート４０を一体に構成しても良い。この場合、各シートどうしを固着して一体にしても良いし、バインダ等で綴じることにより一体にしても良い。
【００３１】
次に、プリント後処理方法について、図５のフローチャートを用いて説明する。ユーザによって撮影済みの写真フイルムが現像所に持ち込まれ、写真フイルムの現像及びプリントが依頼される。この時、ユーザは、プリントテンプレートを選択する。プリントテンプレートとは、図６に示すように、プリント写真５０における画像５１の位置、余白５２の幅や色、余白５２に記録される情報５３，５４の種類等が設定されたプリント形式である。
【００３２】
このテンプレートとしては、例えば、余白５２の色として、白または黒の２通りの設定や、情報５３として、現像日または撮影日の２通りの設定等、それぞれの設定の組み合わせにより複数種類のテンプレートが設定されている。なお、情報５４としてコマ番号を記録する。なお、余白５２の代わりに、各種形状及び色の額縁（フレーム）を用意しておき、これらを余白５２の代わりにユーザに選択させても良い。
【００３３】
ユーザは、複数種類のテンプレートの中から所望のテンプレートを選択する。その後、現像所では、写真フイルムの現像が行われ、さらに、写真プリンタのスキャナによって現像済みの写真フイルムから画像を読み込んで画像データを取得する。その後、現像済みの写真フイルムは、５コマ分ずつ切断されて、写真フイルム３７がフイルム収納シート３０に収納される。
【００３４】
写真プリンタは、ユーザによって選択されたテンプレートに画像データを割り付けてプリントデータを作成する。写真プリンタは、このプリントデータに基づいてプリントを実行して、プリント写真１７を出力する。なお、ハーフＬサイズプリントは、通常のＬサイズの印画紙にハーフＬサイズプリントを２個並べてプリントされ、後に中央で切り離されてハーフＬサイズプリント写真が得られる。従って、プリント注文コマ数が、奇数の場合には、最後の１枚は余白となってしまう。この余白を有効に利用するために、営業案内、サービス券、広告、サービス画像、インデックスプリント等をプリントしても良い。
【００３５】
写真プリンタによって出力されたプリント写真１７は、プリント収納シート１０に収納される。その後、プリント収納シート１０に収納された写真プリント１７、及びフイルム収納シート３０に収納された写真フイルム３７が、プリント注文シート４０と共にユーザに返却される。
【００３６】
ユーザは、プリント注文シート４０、プリント収納シート１０、及びフイルム収納シート３０をバインダ等で綴じて保管する。また、現像所にてユーザに返却する際に、プリント後処理用収納シートに、プリント写真１７及び写真フイルム３７を収納してユーザに返却しても良い。
【００３７】
その後、焼き増し注文する場合、ユーザがプリント収納シート１０に収納されたプリント写真１７を確認して焼き増しするプリント写真１７を選択する。その後、ユーザが、焼き増し注文の内容をプリント注文シート４０の記入欄４３に記入する。例えば、「コマ番号」、「枚数」、「プリントサイズ」、「面種」等を記入する。
【００３８】
ユーザは、焼き増し注文の内容を記載したプリント注文シート４０、及びフイルム収納シート３０を現像所に持ち込んでプリント依頼を行う。この時、ユーザは、プリント注文シート４０、プリント収納シート１０、及びフイルム収納シート３０をバインダ等で綴じた状態のまま現像所に持ち込んでも良い。
【００３９】
ユーザは、プリント依頼と同時に、プリントテンプレートを選択する。その後、既に写真フイルムの現像が終了しているので、現像所では、写真プリンタにて写真フイルムから焼き増しが指定された画像を読み込んで同様のプリント処理を行う。
【００４０】
このように、プリント写真１７を収納したプリント収納シート１０と、現像済みの写真フイルム３７を収納したフイルム収納シート３０と、プリント注文シート４０とを返却する。このため、ユーザは、これらをバインダ等に綴じるだけで、プリント写真１７及び写真フイルム３７を整理された状態で一括保管することができる。また、プリント注文シート４０は、プリント写真１７及び写真フイルム３７と一緒に保管されるので、焼き増し注文する場合、焼き増しするプリント写真１７を選択して注文内容を記入する作業が容易である。
【００４１】
また、プリント収納シート１０は、２枚のプリント写真１７の裏面どうし重ね合わせて１つの収納部に２枚ずつ収納させても良い。この場合、１枚のプリント収納シート１０でプリント写真１７を１６枚収納することができる。
【００４２】
また、現像所は、プリント写真１７の枚数により、一部分にのみにプリント写真１７が収納されているプリント収納シート１０がある場合、そのプリント収納シート１０の未収納部をカットして返却しても良い。また、カットされたプリント収納シート１０は、別の注文時にプリント写真１７の枚数が半端な枚数であった場合に使用すれば良い。撮影枚数により、一部分にのみに写真フイルム３７が収納されているフイルム収納シート３０がある場合も同様に、フイルム収納シート３０を収納部と未収納部との間でカットして返却しても良い。
【００４３】
また、プリント収納シート１０、フイルム収納シート３０、及びプリント注文シート４０をＡ４サイズにするように説明したが、これに限るものではなく、例えばＡ５サイズでも良い。
【００４４】
図７は、Ａ５サイズのプリント収納シート６０の平面図である。プリント収納シート６０は、略Ａ５サイズ（１４５ｍｍ×２１０ｍｍ程度）に形成されている。このプリント収納シート６０は、プリント収納シート１０と同様に、３枚のシートで構成されており、略Ａ５サイズのシートと、このＡ５サイズのシートを横方向に２分割した２枚のシートとを重ね合わせた構成である。
【００４５】
２分割されたシートは、互いの端辺がＡ５サイズのシートの中心線ＣＬ１で隣接するように配置されている。これらの端辺が、開口６１ａ，６１ｂを形成している。開口６１ａと開口６１ｂとの間隔は、２ｍｍ〜３ｍｍ程度が好ましいが、３ｍｍ以上の間隔でも良い。また、この開口６１ａ，６１ｂの上下において、写真プリント３７の外形に合わせて図中点線で示す固着位置６２で固着されて収納部６３ａ，６３ｂが形成される。この収納部６３ａ，６３ｂは、２列２行に並べて形成されており、このプリント収納シート６０は、４枚の写真プリント３７を収納することができる。また、２枚のプリント写真１７の裏面どうしを重ね合わせて収納させることにより、８枚のプリント写真１７を収納させることができる。
【００４６】
また、プリント収納シート６０の左側端部には、綴じ穴として、４つの穴６５と、４つの長穴６６とが形成されている。これらの穴６５及び長穴６６は、図８（Ａ）に示す２穴バインダ用の穴７１の間隔ＬＢ（例えば、８０ｍｍ）と、図８（Ｂ）に示す４穴バインダ用の穴７２の間隔ＬＣ（例えば、５４ｍｍ）と、図８（Ｃ）に示す６穴バインダ用の穴７３の間隔ＬＤ，ＬＥ（例えば、７１ｍｍ，１９ｍｍ）との全てを満たすサイズ・配置間隔に設定されている。
【００４７】
図９は、Ａ５サイズのフイルム収納シート８０の平面図である。フイルム収納シート８０は、プリント収納シート６０と同様に、略Ａ５サイズ（１４５ｍｍ×２１０ｍｍ程度）に形成されている。このフイルム収納シート８０は、Ａ５サイズのシートと、このＡ５サイズのシートを横方向に２分割した２枚のシートとを重ね合わせた構成であり、２分割した２枚のシートの端部８１ａと端部８１ｂとが隣接するように、Ａ５サイズのシート上に配置されている。
【００４８】
端部８１ａ，８１ｂの上下には、図中点線で示す固着位置８２において上下のシートが固着されて、収納部８３ａ，８３ｂが形成されている。この収納部８３ａ，８３ｂは、３列形成されており、３枚の写真フイルム３７を収納することが可能である。また、フイルム収納シート８０の左側端部には、綴じ穴として、４つの穴８５と４つの長穴８６，８７とが形成されている。
【００４９】
これらの穴８５，及び長穴８６，８７のサイズ・配置間隔は、プリント収納シート６０に形成された穴６５，及び長穴６６，６７と同様であり、２穴・４穴・６穴のいずれのバインダでも収納可能にされている。
【００５０】
また、Ａ５サイズのプリント注文シートは、Ａ４サイズの注文シート４０をＡ５サイズに縮小したものであり、その他の構成は同様であるので詳しい説明を省略する。また、このＡ５サイズのプリント注文シートの左側端部にも、穴８５，及び長穴８６，８７と同様に綴じ穴が形成されており、２穴・４穴・６穴のいずれのバインダでも収納可能にされる。
【００５１】
図１０は、ミニ６穴サイズのプリント収納シート９０の平面図である。プリント収納シート９０は、略ミニ６穴サイズ（９８ｍｍ×１３８ｍｍ程度）に形成されている。このプリント収納シート９０は、プリント収納シート１０と同様に、３枚のシートで構成されており、ミニ６穴サイズのシートと、このミニ６穴サイズのシートを横方向に２分割した２枚のシートとを重ね合わせた構成である。
【００５２】
２分割されたシートは、互いの端辺９１ａ，９１ｂがミニ６穴サイズのシート上で接するように配置されている。また、これらの端辺９１ａ，９１ｂの上下において、プリント写真１７の外形に合わせて図中点線で示す固着位置９２で固着されて１列２行の収納部９３ａ，９３ｂが形成されている。このため、プリント収納シート９０は、２枚の写真プリント３７を収納することができる。また、２枚のプリント写真１７の裏面どうしを重ね合わせて収納させることにより、４枚の写真プリント３７を収納させることができる。さらに、プリント収納シート９０の左側端部には、綴じ穴として、６つの穴９４が形成されている。これらの穴９４は、間隔ＬＦ（例えば、１９ｍｍ）で形成されており、ミニ６穴サイズのバインダに収納可能である。
【００５３】
また、ミニ６穴サイズのフイルム収納シート及びプリント注文シートの説明を省略するが、Ａ４及びＡ５サイズのフイルム収納シート及びプリント注文シートと同様に構成すれば良い。
【００５４】
なお、上記実施形態において、プリント収納シート、フイルム収納シート、及びプリント注文シートをＡ４、Ａ５、及びミニ６穴サイズにする場合について説明したが、これに限るものではなく、Ｂ４サイズやＢ５サイズやその他のサイズにしても良い。また、１枚のプリント収納シートまたはフイルム収納シートで１オーダ分のプリント写真または写真フイルムを収納できるようにしても良い。この場合、プリント収納シート及びフイルム収納シートのサイズを大きくして、例えば、横方向または縦方向で３枚折りにして、Ａ４サイズやＡ５サイズ等の大きさに折り畳めるように構成すれば良い。
【００５５】
また、プリント収納シートにハーフＬサイズプリントを収納するように説明したが、これに限るものではなく、Ｌサイズやその他のサイズのプリント写真を収納するようにしても良い。この場合、各サイズのプリント写真の外形に合わせてプリント収納シートに収納部を形成すれば良い。
【００５６】
さらに、上記実施形態において、フイルム収納シートに、現像済みの３５ｍｍネガフイルムを収納するように説明したが、これに限るものではなく、リバーサルフイルムを収納しても良いし、ＡＰＳ用のフイルムでも良い。
【００５７】
また、上記実施形態において、各収納シートに写真フイルムまたはプリント写真を現像所側で収納するように説明したが、写真フイルムとプリント写真とを各収納シートに収納することなく、これらを纏めてＤＰ袋に入れてユーザに返却し、ユーザ側でプリント写真及び写真フイルムを各収納シートに入れるようにしても良い。
【図面の簡単な説明】
【００５８】
【図１】Ａ４サイズのプリント収納シートを示す平面図である。
【図２】Ａ４サイズのプリント収納シートの構成を示す斜視図である。
【図３】Ａ４サイズのフイルム収納シートを示す平面図である。
【図４】Ａ４サイズのプリント注文シートを示す平面図である。
【図５】プリント後処理方法を説明するフローチャートである。
【図６】プリント写真を示す説明図である。
【図７】Ａ５サイズのプリント収納シートを示す平面図である。
【図８】Ａ５サイズのプリント収納シートにおける２穴、４穴、及び６穴バインダ用の穴配置を示す説明図である。
【図９】Ａ５サイズのフイルム収納シートを示す平面図である。
【図１０】ミニ６穴サイズのプリント収納シートを示す平面図である。
【符号の説明】
【００５９】
１０，６０，９０  プリント収納シート
１５，３５，４５，６５，８５，９４  穴
６６，６７，８６，８７  長穴
１７  プリント写真
３０，８０  フイルム収納シート
３７  写真フイルム
４０  プリント注文シート
【図１】
2006039305.tif 000003
【図２】
2006039305.tif 000004
【図３】
2006039305.tif 000005
【図４】
2006039305.tif 000006
【図５】
2006039305.tif 000007
【図６】
2006039305.tif 000008
【図７】
2006039305.tif 000009
【図８】
2006039305.tif 000010
【図９】
2006039305.tif 000011
【図１０】
2006039305.tif 000012